(57)【要約】【課題】  バッテリの取出しや脱落による電源遮断に基づくデータ記録エラーを防止した装置および方法を提供する。【解決手段】  バッテリ収納部の蓋が開閉状態を検出し、バッテリの取出しや脱落によって不意に電源が遮断される前に、所定のシーケンスに従ってＨＤＤなどのデータ記録手段におけるデータ記録処理を停止させる。あるいはデータ記録手段に対する電源供給の遮断処理を実行する。本構成により、エラーデータを含むデータファイルが記憶手段の記憶データとして記録されることがなく、正常なデータ記録が実現される。また、バッテリ脱落などによる不意の電源遮断を未然に防止することが可能となり、ハードディスクのヘッド損傷などＨＤＤなどの記録手段における故障発生を防止することができる。【選択図】  図２
2007067623.tif 000002
【特許請求の範囲】
【請求項１】
撮像手段と、
前記撮像手段において取得された画像信号の信号処理を実行し画像データを生成する信号処理部と、
前記信号処理部により生成された前記画像データを記録媒体に記録するデータ記録手段と、
画像データの記録処理制御を実行する制御部と、
データ処理を実行する各処理部に対する電力供給用のバッテリを格納するバッテリ収納部の状態を検出するバッテリ収納部状態検出部とを有し、
前記制御部は、
前記バッテリ収納部状態検出部の検出情報に基づいて、バッテリ取り出し処理の実行あるいはバッテリ脱落の可能性が有ると判定した場合、前記データ記録手段におけるデータ記録処理を停止する処理を実行する構成を有することを特徴とする撮像装置。
【請求項２】
前記制御部は、
前記バッテリ収納部状態検出部の検出情報に基づいて、バッテリ取り出し処理の実行あるいはバッテリ脱落の可能性が有ると判定した場合、前記データ記録手段に対する電源供給を停止する処理を実行する構成を有することを特徴とする請求項１に記載の撮像装置。
【請求項３】
前記制御部は、
前記データ記録手段に対する電源供給の停止の実行前に、予め定められた処理シーケンスに従った電顕遮断可能状態への移行処理を実行し、該移行処理の終了後に前記データ記録手段に対する電源供給の停止処理を実行する構成を有することを特徴とする請求項２に記載の撮像装置。
【請求項４】
前記制御部は、
前記バッテリ収納部状態検出部の検出情報に基づいて、バッテリ取り出し処理の実行あるいはバッテリ脱落の可能性が有ると判定した場合、表示部に対する警告メッセージの表示処理を実行する構成を有することを特徴とする請求項１に記載の撮像装置。
【請求項５】
前記制御部は、
前記バッテリ収納部状態検出部の検出情報に基づいて、バッテリ取り出し処理の実行あるいはバッテリ脱落の可能性が有ると判定した場合、前記データ記録手段に対して、該データ記録手段に入力済みのデータの無効化処理要求コマンドを出力する構成を有することを特徴とする請求項１に記載の撮像装置。
【請求項６】
前記バッテリ収納部状態検出部は、
バッテリを格納するバッテリ収納部の蓋の開閉状態を検出する構成であり、
前記制御部は、
前記バッテリ収納部状態検出部の検出情報に基づいて、バッテリ収納部の蓋が開いていることが検出された場合、バッテリ取り出し処理の実行あるいはバッテリ脱落の可能性が有ると判定する構成を有することを特徴とする請求項１乃至５いずれかに記載の撮像装置。
【請求項７】
データが入力されるデータ入力手段と、
前記データ入力手段を介する入力データを記録媒体に記録するデータ記録手段と、
前記入力データの記録処理制御を実行する制御部と、
データ処理を実行する各処理部に対する電力供給用のバッテリを格納するバッテリ収納部の状態を検出するバッテリ収納部状態検出部とを有し、
前記制御部は、
前記バッテリ収納部状態検出部の検出情報に基づいて、バッテリ取り出し処理の実行あるいはバッテリ脱落の可能性が有ると判定した場合、前記データ記録手段におけるデータ記録処理を停止する処理を実行する構成を有することを特徴とする情報処理装置。
【請求項８】
データが入力されるデータ入力ステップと、
前記データ入力ステップにおいて取得された入力データを、データ記録手段の記憶媒体に記録する記録ステップと、
データ処理を実行する各処理部に対する電力供給用のバッテリを格納するバッテリ収納部の状態を検出するバッテリ収納部状態検出ステップと、
前記バッテリ収納部状態検出ステップにおいて検出された検出情報に基づいて、バッテリ取り出し処理の実行あるいはバッテリ脱落の可能性が有ると判定した場合、前記データ記録手段におけるデータ記録処理を停止する処理を実行する制御ステップと、
を有することを特徴とする情報処理方法。
【請求項９】
撮像ステップと、
前記撮像ステップにおいて取得された画像信号の信号処理を実行し記録用画像データを生成する信号処理ステップと、
前記信号処理ステップにおいて生成した画像データを、データ記録手段の記憶媒体に記録する記録ステップと、
データ処理を実行する各処理部に対する電力供給用のバッテリを格納するバッテリ収納部の状態を検出するバッテリ収納部状態検出ステップと、
前記バッテリ収納部状態検出ステップにおいて検出された検出情報に基づいて、バッテリ取り出し処理の実行あるいはバッテリ脱落の可能性が有ると判定した場合、前記データ記録手段におけるデータ記録処理を停止する処理を実行する制御ステップと、
を有することを特徴とする情報処理方法。
【請求項１０】
前記情報処理方法は、さらに、
前記バッテリ収納部状態検出ステップにおいて検出された検出情報に基づいて、バッテリ取り出し処理の実行あるいはバッテリ脱落の可能性が有ると判定した場合、前記データ記録手段に対する電源供給を停止する処理を実行するステップを有することを特徴とする請求項９に記載の情報処理方法。
【請求項１１】
前記情報処理方法は、さらに、
前記データ記録手段に対する電源供給の停止の実行前に、予め定められた処理シーケンスに従った電顕遮断可能状態への移行処理を実行し、該移行処理の終了後に前記データ記録手段に対する電源供給の停止処理を実行するステップを有することを特徴とする請求項９に記載の情報処理方法。
【請求項１２】
前記情報処理方法は、さらに、
前記バッテリ収納部状態検出ステップにおいて検出された検出情報に基づいて、バッテリ取り出し処理の実行あるいはバッテリ脱落の可能性が有ると判定した場合、表示部に対する警告メッセージの表示処理を実行するステップを有することを特徴とする請求項９に記載の情報処理方法。
【請求項１３】
前記情報処理方法は、さらに、
前記バッテリ収納部状態検出部の検出情報に基づいて、バッテリ取り出し処理の実行あるいはバッテリ脱落の可能性が有ると判定した場合、前記データ記録手段に対して、該データ記録手段に入力済みのデータの無効化処理要求コマンドを出力するステップを有することを特徴とする請求項９に記載の情報処理方法。
【請求項１４】
前記バッテリ収納部状態検出ステップは、
バッテリを格納するバッテリ収納部の蓋の開閉状態を検出するステップであり、
前記制御ステップは、
前記バッテリ収納部状態検出ステップにおける検出情報に基づいて、バッテリ収納部の蓋が開いていることが検出された場合、バッテリ取り出し処理の実行あるいはバッテリ脱落の可能性が有ると判定することを特徴とする請求項９乃至１３いずれかに記載の情報処理方法。
【請求項１５】
撮像装置において、データ記録処理制御を実行させるコンピュータ・プログラムであり、
撮像ステップと、
前記撮像ステップにおいて取得された画像信号の信号処理を実行し記録用画像データを生成する信号処理ステップと、
前記信号処理ステップにおいて生成した画像データを、データ記録手段の記憶媒体に記録する記録ステップと、
データ処理を実行する各処理部に対する電力供給用のバッテリを格納するバッテリ収納部の状態を検出するバッテリ収納部状態検出ステップと、
前記バッテリ収納部状態検出ステップにおいて検出された検出情報に基づいて、バッテリ取り出し処理の実行あるいはバッテリ脱落の可能性が有ると判定した場合、前記データ記録手段におけるデータ記録処理を停止する処理を実行する制御ステップと、
を有することを特徴とするコンピュータ・プログラム。
【発明の詳細な説明】
【技術分野】
【０００１】
本発明は、撮像装置、情報処理装置、および情報処理方法、並びにコンピュータ・プログラムに関する。さらに詳細には、電子撮像カメラにおけるバッテリ収納部の開閉状態を検出し、バッテリ収納部が開いた状態を検出した場合、データ記録部におけるデータ記録処理の停止などの処理を実行し、データの記録エラーを未然に防止することを可能とした撮像装置、情報処理装置、および情報処理方法、並びにコンピュータ・プログラムに関する。
【背景技術】
【０００２】
近年、ＨＤＤ（ハードディスクドライブ）の小型に伴い、デジタルカメラやデジタルビデオカメラなどの撮像装置等、様々な機器における記録メディアとしてＨＤＤが採用されている。
【０００３】
デジタルカメラやデジタルビデオカメラなどの撮像装置では、ＣＣＤなどの撮像素子を用いて撮影された画像信号に対して、アナログ信号処理、アナログデジタル変換処理、デジタル信号処理、エンコード処理などの様々な信号処理を施して圧縮画像データを生成し、この圧縮画像データをカメラ内部に配置された記憶装置に記録する構成となっている。
【０００４】
しかし、画像データの記録動作中に、バッテリの脱落などによる電源遮断が発生すると、記録データにエラーが発生し、データの消失や、記録データ中に認識不可能なゴミデータが記録されて残ってしまうといった事態が発生することがある。特にＨＤＤ（ハードディスクドライブ）を適用してハードディスクに対する画像データ記録を行なう構成では、ヘッドをディスク上の近接位置においてシークさせるなどの物理的動作を伴う記録が行なわれ、突然の電源遮断が発生すると、正常な物理的動作が維持できなくなり、ヘッドと磁気ディスク面との衝突などによって、ディスク記録面や記録ヘッドに損傷が発生し、データの再生不能や、ＨＤＤの使用不能状態を発生させるおそれがある。
【０００５】
デジタルカメラやデジタルビデオカメラなどの撮像装置では、多くの場合、バッテリ（電池）を電源として使用する。従って、バッテリが消耗した場合には、ユーザはバッテリの入れ替えを行なう。このようなバッテリの入れ替え処理、あるいはデータ記録時のユーザの操作によって、バッテリ収納部が開いてしまうと、誤ってバッテリが外れることにより、バッテリからの電力供給が遮断してしまう場合がある。
【０００６】
このような場合、データ記録処理が実行中であると、突然、ハードディスクなどのデータ記録部に対するデータ記録処理が中断されてしまい、データ消失や記録手段としてのＨＤＤの損傷などを引き起こす可能性がある。
【発明の開示】
【発明が解決しようとする課題】
【０００７】
本発明は、上述の問題点に鑑みてなされたものであり、バッテリ収納部が開き、バッテリが脱落して電力供給が突然遮断され、データ記録エラーが発生する事態を防止することを可能とした撮像装置、情報処理装置、および情報処理方法、並びにコンピュータ・プログラムを提供することを目的とする。
【０００８】
さらに詳細には、電子撮像カメラにおけるバッテリ収納部の開閉状態を検出し、バッテリ収納部が開いた状態を検出した場合、データ記録部におけるデータ記録処理の停止などの処理を実行し、データの記録エラーを未然に防止することを可能とした撮像装置、情報処理装置、および情報処理方法、並びにコンピュータ・プログラムを提供することを目的とする。
【課題を解決するための手段】
【０００９】
本発明の第１の側面は、
撮像手段と、
前記撮像手段において取得された画像信号の信号処理を実行し画像データを生成する信号処理部と、
前記信号処理部により生成された前記画像データを記録媒体に記録するデータ記録手段と、
画像データの記録処理制御を実行する制御部と、
データ処理を実行する各処理部に対する電力供給用のバッテリを格納するバッテリ収納部の状態を検出するバッテリ収納部状態検出部とを有し、
前記制御部は、
前記バッテリ収納部状態検出部の検出情報に基づいて、バッテリ取り出し処理の実行あるいはバッテリ脱落の可能性が有ると判定した場合、前記データ記録手段におけるデータ記録処理を停止する処理を実行する構成を有することを特徴とする撮像装置にある。
【００１０】
さらに、本発明の撮像装置の一実施態様において、前記制御部は、前記バッテリ収納部状態検出部の検出情報に基づいて、バッテリ取り出し処理の実行あるいはバッテリ脱落の可能性が有ると判定した場合、前記データ記録手段に対する電源供給を停止する処理を実行する構成を有することを特徴とする。
【００１１】
さらに、本発明の撮像装置の一実施態様において、前記制御部は、前記データ記録手段に対する電源供給の停止の実行前に、予め定められた処理シーケンスに従った電顕遮断可能状態への移行処理を実行し、該移行処理の終了後に前記データ記録手段に対する電源供給の停止処理を実行する構成を有することを特徴とする。
【００１２】
さらに、本発明の撮像装置の一実施態様において、前記制御部は、前記バッテリ収納部状態検出部の検出情報に基づいて、バッテリ取り出し処理の実行あるいはバッテリ脱落の可能性が有ると判定した場合、表示部に対する警告メッセージの表示処理を実行する構成を有することを特徴とする。
【００１３】
さらに、本発明の撮像装置の一実施態様において、前記制御部は、前記バッテリ収納部状態検出部の検出情報に基づいて、バッテリ取り出し処理の実行あるいはバッテリ脱落の可能性が有ると判定した場合、前記データ記録手段に対して、該データ記録手段に入力済みのデータの無効化処理要求コマンドを出力する構成を有することを特徴とする。
【００１４】
さらに、本発明の撮像装置の一実施態様において、前記バッテリ収納部状態検出部は、バッテリを格納するバッテリ収納部の蓋の開閉状態を検出する構成であり、前記制御部は、前記バッテリ収納部状態検出部の検出情報に基づいて、バッテリ収納部の蓋が開いていることが検出された場合、バッテリ取り出し処理の実行あるいはバッテリ脱落の可能性が有ると判定する構成を有することを特徴とする。
【００１５】
さらに、本発明の第２の側面は、
データが入力されるデータ入力手段と、
前記データ入力手段を介する入力データを記録媒体に記録するデータ記録手段と、
前記入力データの記録処理制御を実行する制御部と、
データ処理を実行する各処理部に対する電力供給用のバッテリを格納するバッテリ収納部の状態を検出するバッテリ収納部状態検出部とを有し、
前記制御部は、
前記バッテリ収納部状態検出部の検出情報に基づいて、バッテリ取り出し処理の実行あるいはバッテリ脱落の可能性が有ると判定した場合、前記データ記録手段におけるデータ記録処理を停止する処理を実行する構成を有することを特徴とする情報処理装置にある。
【００１６】
さらに、本発明の第３の側面は、
データが入力されるデータ入力ステップと、
前記データ入力ステップにおいて取得された入力データを、データ記録手段の記憶媒体に記録する記録ステップと、
データ処理を実行する各処理部に対する電力供給用のバッテリを格納するバッテリ収納部の状態を検出するバッテリ収納部状態検出ステップと、
前記バッテリ収納部状態検出ステップにおいて検出された検出情報に基づいて、バッテリ取り出し処理の実行あるいはバッテリ脱落の可能性が有ると判定した場合、前記データ記録手段におけるデータ記録処理を停止する処理を実行する制御ステップと、
を有することを特徴とする情報処理方法にある。
【００１７】
さらに、本発明の第４の側面は、
撮像ステップと、
前記撮像ステップにおいて取得された画像信号の信号処理を実行し記録用画像データを生成する信号処理ステップと、
前記信号処理ステップにおいて生成した画像データを、データ記録手段の記憶媒体に記録する記録ステップと、
データ処理を実行する各処理部に対する電力供給用のバッテリを格納するバッテリ収納部の状態を検出するバッテリ収納部状態検出ステップと、
前記バッテリ収納部状態検出ステップにおいて検出された検出情報に基づいて、バッテリ取り出し処理の実行あるいはバッテリ脱落の可能性が有ると判定した場合、前記データ記録手段におけるデータ記録処理を停止する処理を実行する制御ステップと、
を有することを特徴とする情報処理方法にある。
【００１８】
さらに、本発明の情報処理方法の一実施態様において、前記情報処理方法は、さらに、前記バッテリ収納部状態検出ステップにおいて検出された検出情報に基づいて、バッテリ取り出し処理の実行あるいはバッテリ脱落の可能性が有ると判定した場合、前記データ記録手段に対する電源供給を停止する処理を実行するステップを有することを特徴とする。
【００１９】
さらに、本発明の情報処理方法の一実施態様において、前記情報処理方法は、さらに、前記データ記録手段に対する電源供給の停止の実行前に、予め定められた処理シーケンスに従った電顕遮断可能状態への移行処理を実行し、該移行処理の終了後に前記データ記録手段に対する電源供給の停止処理を実行するステップを有することを特徴とする。
【００２０】
さらに、本発明の情報処理方法の一実施態様において、前記情報処理方法は、さらに、前記バッテリ収納部状態検出ステップにおいて検出された検出情報に基づいて、バッテリ取り出し処理の実行あるいはバッテリ脱落の可能性が有ると判定した場合、表示部に対する警告メッセージの表示処理を実行するステップを有することを特徴とする。
【００２１】
さらに、本発明の情報処理方法の一実施態様において、前記情報処理方法は、さらに、前記バッテリ収納部状態検出部の検出情報に基づいて、バッテリ取り出し処理の実行あるいはバッテリ脱落の可能性が有ると判定した場合、前記データ記録手段に対して、該データ記録手段に入力済みのデータの無効化処理要求コマンドを出力するステップを有することを特徴とする。
【００２２】
さらに、本発明の情報処理方法の一実施態様において、前記バッテリ収納部状態検出ステップは、バッテリを格納するバッテリ収納部の蓋の開閉状態を検出するステップであり、前記制御ステップは、前記バッテリ収納部状態検出ステップにおける検出情報に基づいて、バッテリ収納部の蓋が開いていることが検出された場合、バッテリ取り出し処理の実行あるいはバッテリ脱落の可能性が有ると判定することを特徴とする。
【００２３】
さらに、本発明の第５の側面は、
撮像装置において、データ記録処理制御を実行させるコンピュータ・プログラムであり、
撮像ステップと、
前記撮像ステップにおいて取得された画像信号の信号処理を実行し記録用画像データを生成する信号処理ステップと、
前記信号処理ステップにおいて生成した画像データを、データ記録手段の記憶媒体に記録する記録ステップと、
データ処理を実行する各処理部に対する電力供給用のバッテリを格納するバッテリ収納部の状態を検出するバッテリ収納部状態検出ステップと、
前記バッテリ収納部状態検出ステップにおいて検出された検出情報に基づいて、バッテリ取り出し処理の実行あるいはバッテリ脱落の可能性が有ると判定した場合、前記データ記録手段におけるデータ記録処理を停止する処理を実行する制御ステップと、
を有することを特徴とするコンピュータ・プログラムにある。
【００２４】
なお、本発明のコンピュータ・プログラムは、例えば、様々なプログラム・コードを実行可能な汎用コンピュータ・システムに対して、コンピュータ可読な形式で提供する記憶媒体、通信媒体、例えば、ＣＤやＦＤ、ＭＯなどの記憶媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００２５】
本発明のさらに他の目的、特徴や利点は、後述する本発明の実施例や添付する図面に基づく、より詳細な説明によって明らかになるであろう。なお、本明細書においてシステムとは、複数の装置の論理的集合構成であり、各構成の装置が同一筐体内にあるものには限らない。
【発明の効果】
【００２６】
本発明の一実施例構成によれば、例えば、バッテリ交換処理の際、あるいは誤ったバッテリ収納部の操作などによりバッテリ収納部の蓋が開けられ、バッテリの取出しや脱落によって発生する電源遮断に基づいたデータ記録エラーを未然に防止することができる。
【００２７】
すなわち、バッテリの取り出しやバッテリの脱落以前に、バッテリ収納部の蓋が開いてしまった状態を検出し、バッテリの取出しまたは脱落によって電源が遮断される前に、所定のシーケンスに従ってＨＤＤなどのデータ記録手段におけるデータ記録処理を停止させる。あるいはデータ記録手段に対する電源遮断処理を実行する構成としたので、エラーデータを含むデータファイルが記憶手段の記憶データとして記録されることがなく、正常なデータ記録が実現される。また、バッテリ脱落などによる不意の電源遮断を未然に防止することが可能となり、ハードディスクのヘッド損傷などＨＤＤなどの記録手段における故障発生を防止することができる。
【発明を実施するための最良の形態】
【００２８】
以下、図面を参照しながら、本発明の撮像装置、情報処理装置、および情報処理方法、並びにコンピュータ・プログラムの詳細について説明する。
【００２９】
まず、本発明の撮像装置の例について、図１を参照して説明する。本発明は、デジタルスチルカメラ、あるいはデジタルビデオカメラ等の撮像装置に適用される。図１（ａ）にデジタルスチルカメラ、図１（ｂ）にデジタルビデオカメラの外観構成例を示す。
【００３０】
これらの撮像装置は、静止画あるいは動画のデータ記録処理を実行する。例えば、図１（ａ）に示すデジタルスチルカメラ１１０は、被写体の撮影に際し、ビューファインダ１１１または、液晶ディスプレイなどからなるモニタ画面１１２によって被写体を確認して静止画を撮影する。図１（ｂ）に示すデジタルビデオカメラ１２０においても、被写体の撮影に際し、ビューファインダ１２１または、液晶ディスプレイなどからなるモニタ画面１２２によって被写体を確認して静止画を撮影する。
【００３１】
これらの撮像装置では、バッテリ（電池）を電源として用い、電力はバッテリから供給される。従って、装置にはバッテリ収納部が設けられる。図１（ａ）に示すデジタルスチルカメラ１１０において示されるバッテリ収納部１１３、および図１（ｂ）に示すデジタルビデオカメラ１２０において示されるバッテリ収納部１２３である。バッテリは入れ替え可能な構成であり、バッテリ収納部１１３，１２３はいずれも開閉可能な構成を有する。
【００３２】
バッテリが消耗した場合には、ユーザはバッテリの入れ替えを行なう。このようなバッテリの入れ替え処理、あるいはデータ記録時のユーザの操作によって、バッテリ収納部が開いてしまうとバッテリからの電力供給が遮断してしまう場合がある。このような場合、データ記録処理が実行中であると、突然、データ記録処理が中断されてしまい、データ消失や記録手段としてのＨＤＤの損傷などを引き起こす可能性がある。
【００３３】
本発明の撮像装置では、このようなデータ記録時のエラー発生を防止する構成を持つ。本発明の撮像装置の構成について、図２を参照して説明する。図２に示すブロック図は、例えば図１に示すような小型で持ち運び可能なデジタルカメラあるいはデジタルビデオカメラなどの撮像装置２００の構成を示すブロック図であり、撮影した情報をハードディスクなどのデータ記録手段２０３に記録する構成を有する。
【００３４】
撮像装置２００は、１つまたは複数のレンズの組み合わせからなるレンズブロックとＣＣＤ等の光電変換素子からなる撮像素子からなる撮像手段２０１、撮像手段２０１によって取得された画像データに対する信号処理、例えば、アナログ信号処理、Ａ／Ｄ変換処理、デジタル信号処理、エンコード処理などの信号処理を実行する記録データ信号処理部２０２、記録データ信号処理部２０２において処理された画像データを記録するデータ記録手段２０３、データの撮影、記録処理の全体制御を実行するＣＰＵを備えた制御部２０４、モニタ画像やメッセージデータを表示する表示部２０５を有する。
【００３５】
なお、記録データ信号処理ＩＣ２０２内には信号処理のなされたデータを一時的に格納するメモリを有し、データ記録手段２０３は、記録データ信号処理ＩＣ２０２内のメモリに格納された処理済みデータを取得してハードディスクなどの記録媒体に記録する。
【００３６】
本発明の撮像装置２００は、さらに、図２に示すようにバッテリ収納部状態検出部２０６を有する。バッテリ収納部状態検出部２０６は、バッテリ収納部の状態を検出する。具体的には、バッテリ収納部の蓋の開閉状態を検出するセンサなどによって構成され、バッテリ収納部の状態を検出し、検出情報を制御部２０４に入力する。
【００３７】
また、図２に示す電源供給部２０７は、具体的には、バッテリ収納部に格納されたバッテリ（電池）であり、この電源は、図２に示す各構成部に対して電力を供給する。ただし、データ記録手段２０３に対する電力は、制御部２０４の制御によって、電力供給または遮断が可能な構成となっている。すなわち、図に示すスイッチ２０８の制御により制御部２０４は、データ記録手段２０３に対する電力のＯＮ／ＯＦＦ制御を独立に実行する。データ記録手段２０３は例えばハードディスクを備えたＨＤＤ（ハードディスクドライブ）によって構成される。
【００３８】
制御部２０４は、バッテリ収納部状態検出部２０６の検出情報に基づいて、バッテリ取り出し処理の実行あるいはバッテリ脱落の可能性が有ると判定した場合、データ記録手段２０３におけるデータ記録処理の停止などの処理を実行する。
【００３９】
すなわち、制御部２０４は、バッテリ収納部状態検出部２０６の検出情報を入力し、バッテリ収納部状態検出部２０６からの検出情報に基づいて、バッテリ収納部の蓋の開閉状態を判定する。バッテリ収納部の蓋が開いていることが検出された場合、バッテリ取り出し処理の実行あるいはバッテリ脱落の可能性が有ると判定し、図に示すスイッチ２０８を制御して、データ記録手段２０３に対する電力供給の停止処理、さらに、表示部２０５に対する警告メッセージの表示処理、記録データの無効化処理など、所定シーケンスに従った処理を実行し、記録データの消失やハードディスクなどによって構成されるデータ記録手段２０３の損傷の発生を未然に防止する。
【００４０】
なお、例えば、データ記録手段２０３がハードディスクドライブ（ＨＤＤ）によって構成される場合、ハードディスクドライブ（ＨＤＤ）への電源供給停止によって、ＨＤＤ内の制御機構に基づいてコンデンサ等に蓄えられた電力を使用したヘッドの退避処理、すなわち待機位置にヘッドを戻す処理が自動実行される。この処理によって、ヘッドとディスクの衝突などの発生が防止され、データ記録手段２０３の損傷を発生させることのない記録停止処理が可能である。
【００４１】
図３を参照して、本発明の情報記録装置において、実行するデータ記録処理シーケンスについて説明する。なお、図３に示す処理は、制御部２０４の制御処理として実行される。
【００４２】
まず、ステップＳ１０１において、データ記録手段２０３に対する記録予定データが存在するか否かを判定する。これは、図２に示す撮像手段２０１において撮像され、記録データ信号処理ＩＣ２０２において信号処理の完了したデータ、あるいは信号処理過程にあるデータの有無を判定する処理である。この判定処理は、例えば、記録データ信号処理ＩＣ２０２におけるデータ処理状態および記録データ信号処理ＩＣ２０２内のメモリのデータ格納状態を制御部２０４が検出することによって実行可能である。
【００４３】
ステップＳ１０１において、データ記録手段２０３に対する記録予定データが存在すると判定されると、ステップＳ１０２に進む。ステップＳ１０２では、バッテリ収納部状態検出部２０６からの情報に基づいて、バッテリ収納部の蓋が開いているか否かを判定する。バッテリ収納部の蓋が開いていないと判定されるとステップＳ１１１に進み、通常のデータ記録処理を実行する。
【００４４】
ステップＳ１０２において、バッテリ収納部の蓋が開いていると判定されるとステップＳ１０３に進む。ステップＳ１０３では、まず、表示部２０５に対して、バッテリ収納部の蓋が開いていることを示す警告メッセージを表示する。
【００４５】
次に、ステップＳ１０４において、制御部２０４は、記録データ信号処理ＩＣ２０２から、データ記録手段２０３に対して転送済みのデータがあるか否かを判定する。これは、記録データ信号処理ＩＣ２０２およびデータ記録手段２０３の処理状態に基づいて制御部２０４が判定する。
【００４６】
ステップＳ１０４において、データ記録手段２０３に対して転送済みのデータがあると判定すると、ステップＳ１０５において、データ記録手段２０３に対して、転送済みデータの無効化処理を要求するコマンドを出力する。データ記録手段２０３は、例えば記録データ信号処理ＩＣ２０２の内部メモリに格納されたデータを、データ記録手段２０３内のバッファに一時的に書き込んだ後、バッファ書き込みデータを所定の記録単位でディスクに記録する処理を実行する。この記録処理の制御は、データ記録手段２０３内の制御部が制御する。
【００４７】
ステップＳ１０４における転送済みデータの無効化処理要求コマンド出力は、制御部２０４から、データ記録手段２０３内の制御部に対して出力され、データ記録手段２０３内の制御部は、コマンドを受信すると処理中のデータ書き込み処理を中止し、書き込みデータファイルの無効化処理を実行する。この処理によって、電源遮断によって発生する可能性があるエラーデータを含むような無駄なデータファイルの生成が停止される。
【００４８】
ステップＳ１０４において、データ記録手段２０３に対して転送済みのデータが無いと判定された場合、およびステップＳ１０４において、データ記録手段２０３に対して転送済みのデータがあると判定され、ステップＳ１０５において、データ記録手段２０３における転送済みデータの無効化処理が完了した場合は、ステップＳ１０６に進む。
【００４９】
ステップＳ１０６では、データ記録手段の電源遮断の実行可能状態に移行する処理を実行する。これは、具体的には、例えば、記録データ信号処理ＩＣの信号処理の停止、あるいは処理済みデータを格納したメモリからのデータ記録手段２０３に対するデータ転送停止処理、さらに、データ記録手段２０３における待機状態への移行処理などである。さらに、表示部２０５に、データ記録処理が停止される旨の警告メッセージを表示してもよい。
【００５０】
ステップＳ１０６において、データ記録手段２０３の電源遮断の実行可能状態移行処理が修了すると、ステップＳ１０７に進み、データ記録手段２０３に対する電源を遮断し、処理を終了する。
【００５１】
このように、本発明の撮像装置では、例えば、バッテリ交換処理の際、あるいは誤ったバッテリ収納部の操作などにより、バッテリ収納部の蓋が開いてしまった場合に、バッテリの脱落以前に、バッテリ収納部の蓋が開いてしまった状態を検出し、バッテリが脱落して不意に電源が遮断される前に、所定のシーケンスに従ったデータ記録手段２０３に対する電源遮断処理を実行する構成としたので、エラーデータを含むデータファイルが記憶手段の記憶データとして記録されることがなく、正常なデータ記録が実現される。また、バッテリ脱落などによる不意の電源遮断を未然に防止することが可能となり、ハードディスクのヘッド損傷などＨＤＤなどの記録手段における故障発生を防止することができる。
【００５２】
なお、上述した実施例では撮像装置についての処理例を説明したが、本発明の構成は、撮像部を有さないＰＣなどの情報処理装置においても適用可能である。例えばデータ入力手段を介して画像データなどのデータを入力し、入力データの処理を実行して処理データをハードディスクなどの記憶手段に格納する構成を持つ情報処理装置においても、バッテリ収納部の蓋が開いてしまった状態を検出し、バッテリが脱落して不意に電源が遮断される前に、上述した所定のシーケンスに従ってデータ記録手段に対する電源遮断処理を実行する構成とすることで、ハードディスクのヘッド損傷などＨＤＤなどの記録手段における故障発生を防止することができる。
【００５３】
最後に、図４を参照してデジタルカメラ等の撮像装置のハードウェア構成例について説明する。図４に示すように、撮像装置は、レンズ４５１、固体撮像素子（ＣＣＤ）４５２、アナログ信号処理部４５３、Ａ／Ｄ変換部４５４、デジタル信号処理部４５５、コーデック４５６、メモリ４５７、Ｄ／Ａ変換部４５８、エンコーダ４５９、モニタ４６０、ＣＰＵ４７１、入力部４７２、データ記録手段４７３、バッテリ収納部状態検出部４７４を有する。
【００５４】
入力部４７２はカメラ本体にあるシャッターなどの操作ボタン類を含む。また、デジタル信号処理部４５５は信号処理用プロセッサと画像用ＲＡＭを持つブロックで、信号処理用プロセッサが画像用ＲＡＭに格納された画像データに対してあらかじめプログラムされた画像処理を行なう。
【００５５】
光学系を通過して固体撮像素子（ＣＣＤ）４５２に到達した入射光は、まず撮像面上の各受光素子に到達し、受光素子での光電変換によって電気信号に変換され、アナログ信号処理部４５３によってノイズ除去等の処理がなされ、Ａ／Ｄ変換部４５４によってデジタル信号に変換された後、デジタル信号処理部（ＤＳＰ）４５５においてデジタル信号処理がなされる。デジタル信号処理部４５５では、撮影条件、あるいはユーザ設定条件などに基づいて算出されるパラメータ等を適用して信号処理を実行し、さらにコーデック４５６において圧縮符号化処理を実行して、メモリ４５７に記録する。
【００５６】
なお、デジタル信号処理部において生成された画像データはＤ／Ａ変換部４５８にも入力され、画像データをアナログ信号に変換し、それをエンコーダ４５９がビデオ信号に変換し、そのビデオ信号をモニタ４６０でモニタできるようになっている。このビデオモニタ４６０はカメラのモニタ画面として利用される。
【００５７】
図２に示す記録データ信号処理ＩＣ２０２は、図４に示すアナログ信号処理部４５３、Ａ／Ｄ変換部４５４、デジタル信号処理部４５５、コーデック４５６、メモリ４５７、Ｄ／Ａ変換部４５８、エンコーダ４５９を含む構成に相当する。メモリ４５７に格納されたデータは、ＨＤＤなどによって構成されるデータ記録手段４７３に記録される。また、バッテリ収納部状態検出部４７４は、バッテリ収納部の状態、具体的には、バッテリ収納部の蓋の開閉状態を検出し、検出情報を制御部としてのＣＰＵ４７１に出力する。なお、全体的なデータ処理制御は、例えばデータ記録手段４７３あるいはその他の図示しないメモリに格納されたプログラムに従って、制御部として機能するＣＰＵ４７１が実行する。
【００５８】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【００５９】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【００６０】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００６１】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【００６２】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００６３】
上述したように、本発明の一実施例構成によれば、例えば、バッテリ交換処理の際、あるいは誤ったバッテリ収納部の操作などによりバッテリ収納部の蓋が開けられ、バッテリの取出しや脱落によって発生する電源遮断に基づいたデータ記録エラーを未然に防止することができる。
【００６４】
すなわち、バッテリの取り出しやバッテリの脱落以前に、バッテリ収納部の蓋が開いてしまった状態を検出し、バッテリの取出しまたは脱落によって電源が遮断される前に、所定のシーケンスに従ってＨＤＤなどのデータ記録手段におけるデータ記録処理を停止させる。あるいはデータ記録手段に対する電源遮断処理を実行する構成としたので、エラーデータを含むデータファイルが記憶手段の記憶データとして記録されることがなく、正常なデータ記録が実現される。また、バッテリ脱落などによる不意の電源遮断を未然に防止することが可能となり、ハードディスクのヘッド損傷などＨＤＤなどの記録手段における故障発生を防止することができる。
【図面の簡単な説明】
【００６５】
【図１】撮像装置の例について説明する図である。
【図２】本発明の一実施例に係る撮像装置の構成例を示すブロック図である。
【図３】本発明の一実施例に係る撮像装置の実行するデータ記録処理シーケンスについて説明するフローチャートを示す図である。
【図４】本発明の撮像装置のハードウェア構成例を示す図である。
【符号の説明】
【００６６】
１１０  デジタルスチルカメラ
１１１  ビューファインダ
１１２  モニタ画面
１１３  バッテリ収納部
１２０  デジタルビデオカメラ
１２１  ビューファインダ
１２２  モニタ画面
１２３  バッテリ収納部
２００  撮像装置
２０１  撮像手段
２０２  記録データ信号処理ＩＣ
２０３  データ記録手段
２０４  制御部
２０５  表示部
２０６  バッテリ収納部状態検出部
２０７  電源供給部
２０８  スイッチ
４５１  レンズ
４５２  固体撮像素子
４５３  アナログ信号処理部
４５４  Ａ／Ｄ変換部
４５５  デジタル信号処理部
４５６  コーデック（ＣＯＤＥＣ）
４５７  メモリ
４５８  Ｄ／Ａ変換部
４５９  ビデオエンコーダ
４６０  ビデオモニタ
４７１  ＣＰＵ(Central Processing Unit)
４７２  入力部
４７３  データ記録手段
４７４  バッテリ収納部状態検出部
【図１】
2007067623.tif 000003
【図２】
2007067623.tif 000004
【図３】
2007067623.tif 000005
【図４】
2007067623.tif 000006